(57)【要約】  本発明は、基礎ユニットの側壁に沿って複数のガイドトラックを有する基礎ユニットと、基礎ユニットに格納される洪水壁パネルと、洪水壁パネルを上昇および下降させる電力システムと、を備える格納式洪水壁ユニットに関する。基礎ユニットは電力システムのアクチュエータを包囲する第１のハウジングユニットを含み、洪水壁パネルは基礎ユニットのガイドトラックと結合する複数のガイドを含む。
2019522747.tif 000002
【特許請求の範囲】
【請求項１】
格納式洪水壁ユニットであって、
前記基礎ユニットの側壁に沿って複数のガイドトラックを有する基礎ユニットと、
前記基礎ユニットに格納される洪水壁パネルと、
前記洪水壁パネルを上昇および降下させるウィンチを有する電力システムと、
を備え、
前記基礎ユニットが、前記電力システムの前記ウィンチを包囲する第１のハウジングユニットを含み、
前記洪水壁パネルが、前記基礎ユニットの前記ガイドトラックと結合する複数のガイドを含む、格納式洪水壁ユニット。
【請求項２】
前記基礎ユニットがプレキャストコンクリートによって形成される、請求項１による格納式洪水壁ユニット。
【請求項３】
前記基礎ユニットがシートパイルによって支持される、請求項２による格納式洪水壁ユニット。
【請求項４】
前記第１のハウジングユニットが、前記ウィンチを固定するフレームを含む、請求項４による格納式洪水壁ユニット。
【請求項５】
前記洪水壁パネルの第２のハウジングユニット内に係止された複数の支持脚部をさらに備える、請求項１による格納式洪水壁ユニット。
【請求項６】
前記複数の支持脚部がばね式であり、前記支持脚部の係止を解くように構成されたラッチバーを有する、請求項５による格納式洪水壁ユニット。
【請求項７】
前記基礎ユニットの側壁が、前記ラッチバーをトリガして前記支持脚部の係止を解く複数の第１の突出部を含む、請求項６による格納式洪水壁ユニット。
【請求項８】
前記複数の第１の突出部が前記側壁の上部に配置される、請求項７による格納式洪水壁ユニット。
【請求項９】
前記基礎ユニットの側壁が、前記ラッチバーをトリガして前記支持脚部を再係止する複数の第２の突出部をさらに含む、請求項８による格納式洪水壁ユニット。
【請求項１０】
前記複数の第２の突出部が前記側壁の下部に配置される、請求項９による格納式洪水壁ユニット。
【請求項１１】
前記電力システムがシングルパーチェスウィンチシステムを含む、請求項１による格納式洪水壁ユニット。
【請求項１２】
前記ウィンチシステムが、前記基礎ユニットの側壁に装着される複数のケーブル末端部に接続されたウィンチを含み、
前記ウィンチシステムが前記洪水壁パネルの底部に装着される滑車を含む、
請求項１１による格納式洪水壁ユニット。
【請求項１３】
前記電力システムが、前記第１のハウジングユニットに収納されたポンプを有する水圧システムを備え、
前記水圧システムが、前記洪水壁パネル内に隠れた複数の水圧シリンダをさらに含む、
請求項１による格納式洪水壁ユニット。
【請求項１４】
前記基礎ユニットから前記洪水壁ユニットの湿潤側へ水を除去するように構成された配管システムをさらに備える、請求項１による格納式洪水壁ユニット。
【請求項１５】
前記配管システムが湿潤側の出口に、水が前記配管システムに進入するのを防御する単方向逆止弁をさらに含む、請求項１４による格納式洪水壁ユニット。
【請求項１６】
前記配管システムが前記洪水壁ユニットの乾燥側に、乾燥側の水を前記基礎ユニットへ進入させる入口をさらに含む、請求項１５による格納式洪水壁ユニット。
【請求項１７】
前記配管システムが、前記基礎ユニットに水を送り、前記基礎ユニットから沈殿物または堆積物を除去するように構成される、請求項１６による格納式洪水壁ユニット。
【請求項１８】
前記配管システムが、前記基礎ユニットの底部に配置されるスパージャパイプを含む、請求項１７による格納式洪水壁ユニット。
【請求項１９】
前記格納式洪水壁ユニットが地下に隠される、請求項１による格納式洪水壁ユニット。
【請求項２０】
前記洪水壁パネルに腐食を減速させる撥水含浸剤をさらに備える、請求項１による格納式洪水壁ユニット。
【請求項２１】
前記洪水壁パネルの湿潤側に海水からの衝撃を吸収する耐衝撃層をさらに備える、請求項２０による格納式洪水壁ユニット。
【請求項２２】
前記電力システムが遠隔制御されるように構成される、請求項１による格納式洪水壁ユニット。
【請求項２３】
前記洪水壁パネルの側部に沿って、隣接洪水壁パネル間の間隙からの水漏れを防止する複数の垂直封止部をさらに備える、請求項１による格納式洪水壁ユニット。
【請求項２４】
前記洪水壁パネルの水平方向に沿って、前記洪水壁パネルと前記基礎ユニットとの間の間隙からの水漏れを防止する複数の水平封止部をさらに備える、請求項２３による格納式洪水壁ユニット。
【請求項２５】
前記洪水壁ユニットの前記垂直封止部と前記水平封止部の両方が、これらの封止部を製造および設置し易いように平面状である、請求項２４による格納式洪水壁ユニット。
【請求項２６】
請求項１による前記洪水壁ユニットを備える入口ユニット。
【請求項２７】
請求項１による複数の洪水壁ユニットを備える、無洪水エリアを確立する洪水シェルタ。
【請求項２８】
ユーティリティ用ラインを前記無洪水エリアに進入させる地下ポストをさらに備える、請求項２７による洪水シェルタ。
【請求項２９】
前記地下ポストの上に、隣接洪水壁ユニットとの水密接触を形成するヒンジパネルをさらに備える、請求項２８による洪水シェルタ。
【請求項３０】
道路を横切り、請求項１による前記複数の洪水壁ユニットによって形成される入口ユニットをさらに備える、請求項３０による洪水シェルタ。
【請求項３１】
請求項１による前記洪水壁ユニットと類似の構造を有するコーナーユニットをさらに備える、請求項２７による洪水シェルタ。
【請求項３２】
前記洪水壁ユニットと既存の構造との間に水密接触を形成するように構成された端部ユニットをさらに備える、請求項２７による洪水シェルタ。
【請求項３３】
格納式洪水壁システムであって、
前記格納式洪水壁システムを支持する基礎と、
直線洪水壁ユニットと、コーナーユニットと、入口ユニットと、前記入口ユニットに隣接するヒンジパネルと、を有する洪水壁部と、
複数のユーティリティ用開口を有する前記ヒンジパネルの下の地下ポストと、
を備え、
前記直線洪水壁ユニット、前記コーナーユニット、および前記入口ユニットがそれぞれ、格納位置においてほぼ地下にある格納式洪水壁パネルを有する、
前記格納式洪水壁パネルが、上昇位置において前記洪水壁パネルを支持することができる複数の支持脚部を含む、格納式洪水壁システム。
【請求項３４】
前記基礎に配置された、前記格納式洪水壁パネルを移動させる電力システムをさらに備える、請求項３３による格納式洪水壁システム。
【請求項３５】
前記電力システムが、前記格納式洪水壁パネルを上昇または降下させるように遠隔制御される、請求項３４による格納式洪水壁システム。
【請求項３６】
前記直線洪水壁ユニット、前記コーナーユニット、および前記入口ユニットの前記格納式洪水壁パネルが同時に移動させられる、請求項３５による格納式洪水壁システム。
【請求項３７】
前記直線洪水壁ユニット、前記コーナーユニット、および前記入口ユニットの前記格納式洪水壁パネルが順次移動させられる、請求項３５による格納式洪水壁システム。
【請求項３８】
前記格納式洪水壁システムの外側にある電力システムと係合するように構成された係合ユニットをさらに備え、前記係合ユニットがプーリシステムを備えた前記洪水壁パネルと接続されて、前記電力システムを使用して前記格納式洪水壁パネルを移動させる、請求項３３による格納式洪水壁システム。
【請求項３９】
前記格納式洪水壁パネルを手動で上昇または降下させることができ、
前記電力システムを停止して、前記格納式洪水壁パネルの手動操作を可能にすることができる、
請求項３４による格納式洪水壁システム。
【発明の詳細な説明】
【技術分野】
【０００１】
関連出願
本願は、２０１６年６月１３日に提出された仮出願第６２／３９２，８９５号、２０１６年６月２１日に提出された仮出願第６２／４９３，０７８号、２０１６年７月１８日に提出された仮出願第６２／４９３，７７９号、２０１６年９月１２日に提出された仮出願第６２／４９５，４０４号、２０１６年９月２９日に提出された仮出願第６２／４９５，９９０号、２０１６年１０月１３日に提出された仮出願第６２／４９６，３２４号、２０１６年１０月１８日に提出された仮出願第６２／４９６，５００号、２０１７年２月１８日に提出された仮出願第６２／６００，７７１号、２０１７年３月２７日に提出された仮出願第６２／６０１，６４８号、２０１７年５月３日に提出された仮出願第６２／６０２，７１８号、２０１７年５月１７日に提出された仮出願第６２／６０３，１５９号に対して権利を主張し、それらの全文を引用により本願に組み込む。
【０００２】
本明細書に開示される発明は、概して洪水防御用の格納式洪水壁システムに関する。具体的には、格納式洪水壁システムは、洪水事象を予測して所望の高さまで上昇させることができる釣り合い錘を装備した展開可能な洪水壁パネルを含む。
【背景技術】
【０００３】
一般的に、従来の洪水壁は、建物または土地を洪水の損傷から守る高さが固定された恒久的な構造を有する。これらの恒久的構造は洪水防御を提供するうえで機能的であるが、審美的には隣接環境とうまく融合せず、景色に悪影響を及ぼす可能性がある。また、恒久的洪水壁は、歩行者や自動車の交通を妨げる。したがって、嵐の前には素早く展開し、嵐が切迫していないときには移動または隠蔽することができる洪水壁システムが必要である。
【０００４】
川の周囲領域が水害を受けることが多い氾濫源も防御を必要とする。氾濫源を防御する有効な方法の１つは、水路内の水を収容する、あるいは海岸線の突破を防止するため、洪水事象の直前に河岸または海岸線の高さを上昇させることである。このタスクは一つには、現場に持ち込んで、設計に応じて設定される一時的構造によって実現される。これらの利用可能な一時的システムの多くは、洪水の出水自体を使用して洪水障壁を上昇させるなどの洪水防御構造を上昇させる「受動手段」に頼る。しかしながら、「受動手段」に頼るシステムは、動作に必要な水を供給する特別な機器を試験のために現地まで移送しなければならないため、動作の信頼性を試験する簡易な方法を提供するものではない。動作を簡易に試験することができる洪水防御システムが必要とされる。
【発明の概要】
【０００５】
本発明に記載される格納式洪水壁システムは、格納式洪水壁パネルを備えたオンデマンド式洪水壁システムの需要を満たす解決策を提供する。洪水壁パネルは、洪水の脅威が予測されるときに展開され、洪水の脅威が去ったときに隠される。一実施形態によると、洪水壁パネルは、洪水防御が必要とされないとき、洪水壁システムの一部であるハウジングユニット内の格納位置に収納されるように構成される。洪水の脅威の場合、実施形態の洪水壁パネルは、たとえば、電動モータ、水圧モータ、浮力、または人力などの始動機構によって所望の高さまで上昇されて、洪水防御を提供する。洪水壁パネルの下部は、ハウジングユニットと接触して、洪水出水と残骸の衝撃によって上昇した洪水壁パネルがぐらつくのを防止するカンチレバーとして構成される。実施形態の洪水壁システムは、洪水壁パネルを上昇させるのに必要な力を大幅に低減するように洪水壁パネルと接続される釣合い錘を有する。別の実施形態によると、洪水壁システムは配管システムを有し、この配管システムは洪水自体または飲用水源からの水をハウジングユニットに注いで浮力を生成し、洪水壁パネルを上昇させ、使用後に水を排出する。一実施形態に係る洪水壁システムは、遠隔位置からたとえば無線信号によってシステムのコンポーネントと接続されるコントローラを含む。このように、オペレータは洪水壁システムの始動機構、弁、ポンプ、およびセンサを遠隔制御することができる。
【０００６】
本発明の一実施形態によると、格納式洪水壁システムは、ハウジングユニットに設置される洪水壁パネルを備える。洪水壁パネルは、釣合い錘と、洪水壁パネルをハウジングユニットに対して上昇および下降させる始動機構に接続される。一側面によると、洪水壁パネルは、洪水壁パネルの下部に配置される浮揚性中空内部空間を含む。中空部は洪水壁パネルの重量を低減させて、浮力を増大させる。本発明の各種側面によると、洪水壁パネルの浮揚性下部は複数のガイドを含む。洪水壁パネルは中実上部を含む。洪水壁パネルは、ハウジングユニットから上昇したときに洪水壁パネルを保持する複数の支持脚部も含むことができる。洪水壁パネルはラッチ機構も含むことができる。
【０００７】
他の側面によると、格納式洪水壁システムは、洪水壁パネルを上昇および降下させるように設置された始動機構を含む。始動機構は、釣合い錘と共に作業する電動モータまたは水圧モータとすることができるため、パネルを上昇および降下させるのに小型の電動モータで十分である。格納式洪水壁システムは、流体をハウジングユニットに配送する配管システムをさらに含むことができる。本側面によると、浮力を使用して洪水壁パネルを上昇および降下させる。格納式洪水壁システムは、洪水出水をハウジングユニットに進入させる洪水出水入口も含むことができる。洪水出水入口は、洪水出水が所定高に達すると、人が介入せずに洪水壁パネルを上昇させるように構成することができる。格納式洪水壁システムは、ユーティリティ用ラインが通過するように、複数の開口部を備えた地下ポストを有する出口部を含むことができる。地下ユーティリティポストの上の地上壁は、隣接パネル間の間隙を封止する固定モニュメント、脱着可能なパネル、またはヒンジ留めされた平板とすることができる。格納式洪水壁システムは、洪水壁システムの背後からトラックに沿って延びてハウジングユニットから洪水壁パネルを上昇させる自動展開装置も含むことができる。支持脚部が展開されて、上昇位置に洪水壁を保持する。本実施形態によると、洪水壁を移動させ適所に係止するために水は必要ではない。
【０００８】
本発明の一側面によると、洪水防御方法は、ハウジングユニット内に洪水壁パネルを設けることと、洪水壁パネルを釣合い錘と接続することと、洪水防御のためにハウジングユニットから洪水壁パネルを上昇させることと、洪水壁パネルをハウジングユニット内へ降下させることとを備える。
【０００９】
他の側面によると、洪水壁パネルの下部を浮揚性部として構築することと、上昇位置において表面で洪水壁パネルを支持する複数の支持脚部を洪水壁パネルに設置することと、洪水壁パネルの上面にラッチ機構を設置することと、洪水壁パネルを上昇および降下させるアクチュエータをハウジングユニット内に設置することと、流体をハウジングユニットに配送する配管システムを設置することと、洪水出水をハウジングユニットに進入させる洪水出水入口をハウジングユニットに設置することと、トラックに沿って延び洪水壁パネルを上昇させる自動展開装置を設けることと、遠隔位置から洪水壁パネルの動作を制御することができるコントローラを設けることと、を備える方法が提供される。
【００１０】
また、本願は、基礎ユニットの側壁に沿って複数のガイドトラックを有する基礎ユニットと、基礎ユニットに収納される洪水壁パネルと、洪水壁パネルを上昇および下降させるためのウィンチを有する電力システムと、を備える格納式洪水壁ユニットに関する。基礎ユニットは電力システムのウィンチを包囲する第１のハウジングユニットを含み、洪水壁パネルは基礎ユニットのガイドトラックと結合する複数のガイドを含む。
【００１１】
本願のいくつかの実施形態によると、基礎ユニットは、シートパイルによって支持することができるプレキャストコンクリートによって形成される。第１のハウジングユニットは、ウィンチを固定するフレームを含む。洪水壁パネルの第２のハウジングユニットに係止される複数の支持脚部が洪水壁ユニットに含まれる。複数の支持脚部はばね式であり、支持脚部の係止を解くように構成されたラッチバーを有する。基礎ユニットの側壁は、ラッチバーをトリガして支持脚部の係止を解く複数の第１の突出部を含む。複数の第１の突出部は側壁の上部に配置される。基礎ユニットの側壁は、ラッチバーをトリガして支持脚部を再係止する複数の第２の突出部をさらに含む。複数の第２の突出部は側壁の下部に配置される。電力システムはシングルパーチェスウィンチシステムを含む。ウィンチシステムは、基礎ユニットの側壁に装着される複数のケーブル末端部と接続されたウィンチを含み、ウィンチシステムは洪水壁パネルの底部に装着される滑車を含む。電力システムは、第１のハウジングユニットに収容されたポンプを有する水圧システムを備え、水圧システムは洪水壁パネルに隠れた複数の水圧シリンダをさらに含む。
【００１２】
いくつかの実施形態によると、洪水壁ユニットは、基礎ユニットから洪水壁ユニットの湿潤側へ水を除去するように構成された配管システムをさらに含むことができる。配管システムは、水が配管システムに進入するのを防止する単方向逆止弁を湿潤側の出口にさらに含む。配管システムは、乾燥側の水を基礎ユニットに進入させる入口を洪水壁ユニットの乾燥側にさらに含む。配管システムは、基礎ユニットに水を引き入れて、基礎ユニットから沈殿物または堆積物を除去するように構成される。配管システムは、基礎ユニットの底部に配置されるスパージャパイプを含む。
【００１３】
いくつかの実施形態によると、格納式洪水壁ユニットは地下に隠れている。洪水壁ユニットは、腐食を減速させる洪水壁パネル内の撥水含浸剤と、洪水壁パネルの湿潤側で海水からの衝撃を吸収する耐衝撃層と、をさらに含むことができる。電力システムは遠隔制御されるように構成される。洪水壁ユニットは、隣接洪水壁パネル間の間隙を通じた水漏れを防止するための洪水壁パネルの側方に沿った複数の垂直封止部と、洪水壁パネルと基礎ユニット間の間隙を通じた水漏れを防止するための洪水壁パネルの水平方向に沿った複数の水平封止部と、を含むことができる。洪水壁ユニットの垂直封止部と水平封止部の両方が、これらの封止部の製造と設置を簡易化するように平面状である。
【００１４】
また、本願は、本洪水壁ユニットを備える入口ユニットに関する。複数の本洪水壁ユニットを備える無洪水エリアを確立する洪水シェルタも開示する。洪水シェルタは、ユーティリティ用ラインを無洪水エリアに進入させる地下ポストと、地下ポストの上で隣接洪水壁ユニットとの水密接触を形成するヒンジパネルと、道路を横切り複数の本洪水壁ユニットによって形成される入口ユニットと、をさらに含むことができる。洪水シェルタは、本洪水壁ユニットと同様の構造を有するコーナーユニットと、洪水壁ユニットと既存の構造との水密接触を形成する端部ユニットと、をさらに含むことができる。
【００１５】
また、本願は、格納式洪水壁システムを支持する基礎と、直線洪水壁ユニット、コーナーユニット、入口ユニット、および入口ユニットに隣接するヒンジパネルを有する洪水壁部と、複数のユーティリティ用開口を有するヒンジパネルの下の地下ポストと、を備える格納式洪水壁システムに関する。直線洪水壁ユニット、コーナーユニット、入口ユニットはそれぞれ、格納位置においてほぼ地下に位置する格納式洪水壁パネルを有し、格納式洪水壁パネルは、上昇位置において洪水壁パネルを支持することができる複数の支持脚部を含む。
【００１６】
いくつかの実施形態によると、格納式洪水壁システムは、基礎に配置されて格納式洪水壁パネルを移動させる電力システムを含む。電力システムは、格納式洪水壁パネルを同時にまたは順次上昇または降下させるように遠隔制御される。格納式洪水壁システムは、格納式洪水壁システムの外部にある電力システムと係合するように構成された係合ユニットをさらに含むことができ、係合ユニットはプーリシステムを備えた洪水壁パネルに接続されて、電力システムを使用して格納式洪水壁パネルを移動させる。格納式洪水壁パネルは手動で上昇または降下させることができ、洪水壁システムの内部電力システムは格納式洪水壁パネルの手動操作を可能にするように動作停止させることができる。
【図面の簡単な説明】
【００１７】
上記の目的および関連する目的を達成するため、以下の説明と添付図面に関連して、本発明の特定の例示的実施形態について説明する。しかしながら、これらの実施形態は、本発明の原理を採用することのできる様々な様式のうちのいくつかを示すものであり、本発明はこれらの側面およびその等価物をすべて含むことを意図する。その他の本発明の利点、実施形態、および新規な特徴は、図面と併せて検討して、以下の本発明の説明から自明になるであろう。以下の説明は例示であり、本発明を記載される特定の実施形態のみに限定することを目的としておらず、添付図面と併せて最も良く理解することができる。
【００１８】
【図１ａ】図１ａは、本発明の一実施形態に係る格納位置における格納式洪水壁システムの洪水壁部を示す。
【００１９】
【図１ｂ】図１ｂは、本発明の一実施形態に係る上昇位置における図１ａの洪水壁部を示す。
【００２０】
【図２ａ】図２ａは、本発明の一実施形態に係る格納位置における洪水壁ユニットを示す。
【００２１】
【図２ｂ】図２ｂは、本発明の一実施形態に係る上昇位置における図２ａの洪水壁ユニットを示す。
【００２２】
【図３】図３は、本発明の一実施形態に係る洪水壁ユニットの展開図である。
【００２３】
【図４】図４は、本発明の一実施形態に係る洪水壁ユニットのハウジングユニットを示す。
【００２４】
【図５】図５は、ハウジングユニットを支持する追加の基礎パイルを含む、本発明の一実施形態に係る基礎を備えたハウジングユニットを示す。
【００２５】
【図６】図６は、本発明の一実施形態に係る洪水壁システムの配管システムを示す。
【００２６】
【図６ａ】図６ａは、本発明の一実施形態に係る洪水壁部のハウジングユニットに接続された配管システムの部分を示す。
【００２７】
【図６ｂ】図６ｂは、本発明の一実施形態に係る配管システムの遮断弁を示す。
【００２８】
【図６ｃ】図６ｃは、本発明の一実施形態に係る洪水壁システムの出口部分を示す。
【００２９】
【図６ｄ】図６ｄは、本発明の一実施形態に係る出口部分の開口部を通る脱着可能なピラーを示す。
【００３０】
【図７】図７は、本発明の一実施形態に係る洪水壁ユニット内の支持フレームを示す。
【００３１】
【図７ａ】図７ａは、本発明の一実施形態に係る洪水壁パネルと釣合い錘との接続を示す。
【００３２】
【図８】図８は、本発明の一実施形態に係る浮力のために下部に空隙を有する洪水壁パネルの断面図である。
【００３３】
【図８ａ】図８ａは、本発明の一実施形態に係る洪水壁パネルを示す。
【００３４】
【図８ｂ】図８ｂは、本発明の一実施形態に係る隣接洪水壁パネル間の垂直封止部を示す。
【００３５】
【図９】図９は、本発明の一実施形態に係る釣合い錘を示す。
【００３６】
【図１０】図１０は、本発明の一実施形態に係る洪水壁ユニットの水密封止部を備えたカバーユニットを示す。
【００３７】
【図１０ａ】図１０ａは、本発明の一実施形態に係る図１０のカバーユニットの封止部を示す。
【００３８】
【図１０ｂ】図１０ｂは、本発明の一実施形態に係る図１０のカバーユニットと洪水壁パネルとの間の水平封止部を示す。
【００３９】
【図１１】図１１は、本発明の一実施形態に係る高度の異なる２つの洪水壁ユニット間の接続を示す。
【００４０】
【図１２】図１２は、本発明の一実施形態に係る筐体を形成する洪水壁システムを示す。
【００４１】
【図１２ａ】図１２ａは、図１２のピラー６５４の一実施形態を示す。
【００４２】
【図１３】図１３は、本発明の一実施形態に係る既存の洪水壁と接続される洪水壁システムを示す。
【００４３】
【図１４】図１４は、本発明の一実施形態に係る洪水壁パネルを上昇させるトロリーを示す。
【００４４】
【図１４ａ】図１４ａは、本発明の一実施形態に係る図１４のトロリーを示す。
【００４５】
【図１４ｂ】図１４ｂは、本発明の一実施形態に係るトロリーと洪水壁パネルとの間で洪水壁を上昇および降下させるラッチ機構を示す。
【００４６】
【図１５】図１５は、本発明の一実施形態に係る格納式洪水壁ユニットを示す。
【００４７】
【図１６】図１６は、本発明の一実施形態に係る基礎ユニットを示す。
【００４８】
【図１６ａ】図１６ａは、本発明の一実施形態に係る基礎ユニットのハウジングユニットを示す。
【００４９】
【図１６ｂ】図１６ｂは、本発明の一実施形態に係る基礎ユニットのベースを示す。
【００５０】
【図１６ｃ】図１６ｃは、本発明の一実施形態に係る基礎ユニットのアンカーを示す。
【００５１】
【図１６ｄ】図１６ｄは、本発明の一実施形態に係る基礎ユニットを支持するシートパイルを示す。
【００５２】
【図１７】図１７は、本発明の一実施形態に係る洪水壁パネルを示す。
【００５３】
【図１８】図１８は、本発明の一実施形態に係る洪水壁パネルの予成形コンクリートユニットを示す。
【００５４】
【図１９】図１９は、本発明の一実施形態に係る洪水壁パネルの複数の機械的コンポーネントを示す。
【００５５】
【図２０】図２０は、本発明の一実施形態に係る洪水壁パネルを示す。
【００５６】
【図２１】図２１は、本発明の一実施形態に係る洪水壁ユニットの電力システムを示す。
【００５７】
【図２１ａ】図２１ａは、本発明の一実施形態に係る洪水壁ユニットを動作させるシングルパーチェスウィンチシステムを示す。
【００５８】
【図２２】図２２は、本発明の一実施形態に係る電力システムと洪水壁ユニットの基礎との配置を示す。
【００５９】
【図２３ａ】図２３ａは、本発明の一実施形態に係る格納位置における洪水壁パネルを示す。
【００６０】
【図２３ｂ】図２３ｂは、本発明の一実施形態に係る完全上昇位置における図２３ａの洪水壁パネルを示す。
【００６１】
【図２４】図２４は、本発明の一実施形態に係る配管システムを備えた洪水壁ユニットを示す。
【００６２】
【図２５】図２５は、本発明の一実施形態に係る図２４の配管システムの機械的コンポーネントを示す。
【００６３】
【図２６】図２６は、本発明の一実施形態に係る格納式洪水壁を備えた入口ユニットを示す。
【００６４】
【図２６ａ】図２６ａは、本発明の一実施形態に係る格納位置における格納式洪水壁を備えた入口ユニットを示す。
【００６５】
【図２７】図２７は、本発明の一実施形態に係る洪水壁ユニット用の水圧システムを示す。
【００６６】
【図２７ａ】図２７ａは、本発明の一実施形態に係る洪水壁ユニット用の水圧システムを示す。
【００６７】
【図２８】図２８は、本発明の一実施形態に係る水圧システムと洪水壁ユニットとの配置を示す。
【００６８】
【図２９】図２９は、本発明の一実施形態に係る海水による衝撃から守る保護パネルを備えた洪水壁パネルを示す。
【００６９】
【図３０】図３０は、本発明の一実施形態に係る保護層を示す。
【００７０】
【図３１ａ】図３１ａは、本発明の一実施形態に係る洪水壁システムの端部ユニットを示す。
【００７１】
【図３１ｂ】図３１ｂは、本発明の一実施形態に係る洪水壁システムのコーナーユニットを示す。
【００７２】
【図３２】図３２は、本発明の一実施形態に係る洪水シェルタを示す。
【発明を実施するための形態】
【００７３】
図１ａは、本発明の一実施形態に係る格納式洪水壁システムの洪水壁部１００を示す。該壁部１００は複数の個々のユニット１０２、１０４、１０６、および１０８によって形成される。複数のユニット１０２、１０４、１０６、および１０８は相互に装着されて、水密接続部１１０、１１２、および１１４を形成する。一実施形態では、複数のユニット１０２、１０４、１０６、および１０８は、ほぼ平面状で壁部１００の上面１１６と共に地下位置に配置される。このように、洪水壁システムの壁部１００は視界から隠れ、周囲環境に介入しない。上面１１６および支持構造は、洪水壁システム上を通過することができる乗用車、ヴァン、トラックなどの輸送車両を地下位置で支持するのに十分な強度を有するように構成される。図１ａに示すように、複数のユニット１０２、１０４、１０６、および１０８は好ましくは同様の高度で円滑な上面１１６を形成し、その上面に沿ったユニット間の共有開口部を、連続的な水の通過のために使用することができる。一実施形態では、複数のユニット１０２、１０４、１０６、および１０８は、基礎の状態と傾斜度の変動に応じて様々な高度で配置することができる。
【００７４】
図１ａに示すように、洪水壁部１００は、水を洪水壁システムに制御可能に配送する配管システム１１８を有する。本発明の一側面によると、配管システム１１８は水を洪水壁システムに配送して、浮力を生成し洪水壁パネル１２０を所望高まで上昇させる。また、配管システム１１８はシステムから水を除去して、洪水壁パネル１２０を降下または退却させる。後述するように、配管システム１１８は、洪水壁システムに注水するために都市用水または洪水出水のいずれかを使用することができる。
【００７５】
一実施形態では、すべてのユニットは配管システム１１８によって同時に注水される。別の実施形態では、配管システム１１８は、複数のユニット１０２、１０４、１０６、および１０８との注水または排水接続部を選択している。たとえば、図１ａに示すように、ユニット１０２および１０６は、配管システム１１８への注水接続部も排水接続部も有しておらず、「プレーンユニット」と呼ぶことができる。これらの「プレーンユニット」は隣接ユニット１０４および１０８と水圧で接続されて、水を出入りさせる。ユニット１０４および１０８はそれぞれ、接続部１２２および１２４などの配管システムとの接続部を有する。接続部１２２および１２４は、排水または給水またはその両方に使用することができる。配管システムとの接続機能に応じて、ユニット１０４および１０８は排水ユニットまたは注水ユニットまたはその両方として使用することができる。ユニット１０４の接続部１２２を使用して排水ポンプなどのポンプで排水を行う場合、ユニット１０４は「排水ユニット」と称することができる。ユニット１０８の接続部１２４を使用して注水を行う場合、ユニット１０６は「注水ユニット」と称することができる。ユニットに各種機能を設けることによって、本発明に記載される格納式洪水壁システムは、様々なカスタマーのニーズと様々なコストに応じて洪水を防御することができる。
【００７６】
各ユニット１０２、１０４、１０６、および１０８は、図１ａに示すような格納位置に通常収納されて可動洪水壁パネル１２０を収容するコンパートメント１２６を有する。格納位置では、洪水壁パネル１２０はコンパートメント内に配置されて、視界から隠れる。一実施形態によると、可動洪水壁パネル１２０がコンパートメント１２６から上昇して、洪水を防御するように展開される。可動洪水壁パネル１２０は、洪水レベルに応じて様々な高さに展開することができる。図１ｂに示すように、洪水壁パネル１２０はコンパートメント１２６から途中まで上昇する。この位置では、洪水壁パネル１２０の約半分が上面１１６の上方に位置し、洪水壁パネル１２０の残りの半分はまだコンパートメント１２６内にある。洪水壁パネル１２０は、人力、機械、および浮力などの任意の適切な方法によって上昇させることができる。
【００７７】
図２ａおよび２ｂは、格納位置および中途展開位置における洪水壁パネルを備えたユニット１０２を示す。コンパートメント１２６内で、可動洪水壁パネル１２０は、洪水壁パネルの背後に位置する釣り合い錘まで洪水壁パネル１２０を上昇および降下させるために使用されるプーリ、ギア、チェーン、およびケーブルなどの伝送機構１３０と接続される。ユニット１２０は、コンパートメント１２６内にアクチュエータをさらに含む。アクチュエータは伝送機構１３０と係合し、洪水壁パネルに伝達される上昇または降下力を生成する。伝送機構は釣合い錘を含む。釣合い錘を使用することによって、アクチュエータによって生成される上昇力または降下力は、洪水壁パネルの重量の一部であればよい。アクチュエータは、洪水壁の全ストローク未満である地上の所望の高さに洪水壁を保持するためにも使用することができる。このため、アクチュエータのサイズと電力要件が低減される。アクチュエータは、現場のスマートフォンまたはプッシュボタンコントローラから遠隔制御することができる。アクチュエータ、伝送機構、および釣合い錘について以下開示する。
【００７８】
図２ａおよび２ｂに示されるように、上面１１６は複数のアクセスパネル１２８を含む。開放されたとき、これらのアクセスパネル１２８により、保全職員がコンパートメント１２６に入って、コンパートメント１２６内のコンポーネントの検査と修理を実行することができる。
【００７９】
図３は、本発明の一実施形態に係る洪水壁ユニットの展開図である。洪水壁ユニット３００は、配管ユニット３０２、ハウジングユニット３０４、支持フレーム３０６、釣合い錘３０８、面ユニット３１０、および洪水壁パネル３１２を含む。一実施形態によると、配管ユニット３０２は、ハウジングユニット３０４の底部に配置されて、ハウジングユニット３０４から水を押し出すように構成されるポンプ３１４を有する。配管ユニット３０２は、ハウジングユニット３０４の底部に位置する開口部３１８を介してハウジングユニット３０４に進入する１つの配管部３１６を有する。一実施形態によると、配管部３１６は、ハウジングユニット３０４の上部または下部からハウジングユニット３０４に進入することができる。組み立てられると、ハウジングユニット３０４は支持フレーム３０６、釣合い錘３０８、および洪水壁パネル３１２を包囲し、それらを外部の損傷から保護する。支持フレーム３０６は洪水壁パネル３１２、釣合い錘３０８、アクチュエータ、および洪水壁パネル３１２を上昇および降下させる伝送機構を支持する。釣合い錘３０８は伝送機構を介して洪水壁パネル３１２と接続され、洪水壁パネル３１２の重量のバランスをとって洪水壁パネル３１２を上昇または降下させるのに必要な力を低減させる。洪水壁パネル３１２は、上昇したとき、洪水壁システムによって包囲される建物を洪水から防御する。洪水壁の下部は基礎３０４内で地下にとどまり、洪水壁の露出部分を打ちつける洪水出水の衝撃に対して上部を補強する。洪水出水が浮力として使用されて洪水壁を上昇させるとき、下部の幅広のベースは洪水壁がシステムから浮き上がるのを防止する。
【００８０】
洪水壁パネルが展開されず、通常の使用、たとえば、洪水壁ユニット上を通過する人および車両の重量を支持するための構造面として機能するとき、面ユニット３１０はハウジングユニット３０４内のコンポーネントを隠す。面ユニット３１０は、通常の雨事象などの洪水事象が発生していないとき、水がハウジングユニット３０４に侵入するのを防止するように構成された複数の封止部を有する。封止部は、面ユニット３１０とハウジングユニット３０４との間、面３１０と洪水壁パネル３１２との間、およびアクセスパネル１２８の下など、様々な位置に配置することができる。配管システム、ハウジングユニット、支持フレーム、洪水壁パネル、釣合い錘、および面ユニットについて後述する。
【００８１】
図３に示すように、配管部３０２は下側開口部３１８を介してハウジングユニット３０４に入り、その後、ポンプ３１４と接続される。一実施形態では、ポンプ３１４は、ハウジングユニット３１４から水を排出するのに使用される排水ポンプである。本実施形態によると、図３に示すような洪水壁ユニットは排水ユニットである。別の実施形態によると、ポンプと配管への接続部を備えていないユニット３００はプレーンユニットである。上記プレーンユニットは、隣接ユニットと水圧で接続される。別の実施形態によると、ユニット３００は配管ユニットと接続されるが、ポンプ３１４を含んでいない。これは注水ユニットと考えられる。
【００８２】
図４は本発明の一実施形態に係るハウジングユニット３０４を示す。図５は本発明の別の実施形態に係るハウジングユニット３０４および基礎５０２を示す。基礎５０２は乾燥側にストロングバックを設けて、湿潤側の近傍の基礎よりも大きな寸法を有するように構成される。
【００８３】
図４に示すように、ハウジングユニット３０４は、洪水壁パネルおよび他のコンポーネントを収容するコンパートメント１２６を形成する。コンパートメント１２６は任意の形状をとることができる。一実施形態では、コンパートメント１２６は略矩形状である。ハウジングユニット３０４は複数の水平突出部４０８を有する。ハウジングユニットが設置されると、これらの突出部４０８は平面と面一となり、水平方向に延在する。突出部４０８は、配管ユニット３０２を支持する予め作製された穴を有する複数の構造リブ４１０によって支持される。ハウジングユニット３０４は洪水側壁４１２と安全側壁４１４を有する。洪水側壁４１２は、ハウジングユニット３０４の上に、洪水出水を受け取る開口部４０６を有する。安全側壁４１４はハウジングユニット３０４の底部に、ハウジングユニット３０４から水を排出する、あるいは都市用水をハウジングユニットに注水するために使用される開口部３１８を有する。ハウジングユニット３０４の底部では、予め設定された開口部４０４を有する保護ユニット４０２が使用されて、配管を保持し開口部４０４を延在させる。保護ユニット４０２は、配管の損傷を防止するだけでなく、洪水壁が位置する基礎システムの底部の役割を果たす。これにより、洪水壁のベースとハウジングユニットの底部との間の接触面領域が低減される。ハウジングユニット３０４は、鋼、コンクリート、ポリマー、複合材料、木、またはそれらの組み合わせなど、十分な機械的一体性を提供する任意の材料で構成することができる。好適な実施形態では、ハウジングユニット３０４はプレキャスト鉄筋コンクリートから成る。
【００８４】
図５に示すように、基礎５０２はハウジングユニット３０４を支持するように構成することができる。基礎５０２が使用されると、洪水壁システムの重量によって生じる沈下量を低減し、洪水壁ユニット間の位置合わせ不良を防止し、洪水壁システムの可使時間を延長することができる。基礎は好ましくは、ハウジングユニット３０４の全側面の周囲に設けられる。一実施形態によると、基礎５０２はプレキャストコンクリートから成り、ハウジングユニット３０４の形状と類似の内部空間を有するため、ハウジングユニット３０４を基礎内へ降下させて、基礎としっかりと嵌合させることができる。ボルト、ねじ、コンクリート、または接着剤などの固定機構を使用して、ハウジングユニット３０４を基礎５０２に装着することができる。一実施形態では、基礎５０２は、地面に打ち込まれる追加の打込み杭５０４によってさらに支持される。なお、基礎５０２は本洪水壁システムにおいて任意である。本発明の洪水壁システムは、基礎がなくても適切に設置し機能させることができる。
【００８５】
図６は、本発明の一実施形態に係る格納式洪水壁システムの配管システム１１８を示す。配管システム１１８は、ハウジングユニット３０４の上部に沿って延びる上部６０２と、ハウジングユニット３０４の底部に沿って延びる下部６０４と、ハウジングユニット３０４の底部に配置される複数のポンプ３１４と、マニホルド部６０６と、を有する。一実施形態では、上部６０２はハウジングユニット３０４の外部に配置され、ハウジングユニット３０４の内部に配置される下部６０４よりも大径である。上部６０２は洪水壁システムの安全側にも配置される。上部６０２は、マニホルド部６０６を介して雨水管と都市用水に接続することができる。複数のポンプ３１４がハウジングユニット３０４から水を押し出す。一実施形態では、下部６０４は、ハウジングユニットに入る可能性のある沈殿物またはその他の残骸を除去し易くする複数のスパージャパイプを含む。
【００８６】
図６ａは、本発明の一実施形態に係る洪水壁部１００の各種部分を示す。図６に示す配管システム１１８に加えて、洪水壁部１００は、洪水壁システムの洪水側に配置される洪水出水入口６０８も含むことができる。洪水出水入口６０８は、洪水出水の取入れを調節する遮断弁６１０に接続される。遮断弁６１０が開放されると、洪水出水がハウジングユニット３０４に取り込まれることによって、洪水壁パネルを上昇させるためにハウジングに注水する都市用水の使用量が低減される。図６ａに示すように、ハウジングユニット３０４は、展開中に洪水壁パネルの上昇を誘導する複数のガイド６１２を含む。これらのガイドの面は好ましくは、洪水壁パネルに対して摩擦が小さくなるように処理される。たとえば、これらのガイドは、ポリテトラフルオロエチレン系ポリマーであるテフロンなどの低摩擦被覆を有することができる。一実施形態では、ガイドは、ハウジングユニットの側壁上の複数の突出部である。別の実施形態では、ガイドは、ハウジングユニットの側壁内の複数のトラックである。
【００８７】
図６ａに示すように、ハウジングユニットの外側は複数の大釘６１１を有する。一実施形態では、鋼または他の金属材料で作製された鋼製ユニットは、ハウジングユニットを包囲する所要の寸法を有する。鋼製ユニットも複数の大釘を有する。鋼製ユニットがまず地下に設置される。大釘は周囲土壌に鋼製ユニットを固定する。鋼製ユニットが固定された後、ハウジングユニットの所要内部寸法を有するプレキャストコンクリートユニットが鋼製ユニットに挿入される。プレキャストコンクリートユニットも、コンクリートユニットを鋼製ユニットに確実に連結する複数の大釘６１１を有することができる。装着は接着剤、グラウト、または注入コンクリートを用いて実行することができる。
【００８８】
図６ｂは、本発明の一実施形態に係る遮断弁６１０を示す。遮断弁６１０は、ソレノイド弁６１６、開口部６１４、およびフラップゲート６１３を示す。ソレノイド弁６１６は遠隔で制御可能である。たとえば、弁６１６はスマートフォンによって無線で制御することができる。開口部６１４は、ハウジングユニット３１４の内部と洪水出水入口６０８との間の通路を提供する。フラップゲート６１３は底部にヒンジ留めされ、通常は開放位置にあるため、弁６１６が開放されると洪水出水をハウジングユニット３０４内に進入させる。洪水壁パネル１２０が上昇すると、フラップゲート６１３が閉鎖位置へ移動する。パネルが完全上昇位置に近づくと、洪水壁パネル１２０の下部がフラップゲート６１３に係合する。このように、洪水壁パネル１２０が上昇すると、フラップゲート６１３が閉鎖することによって、さらなる洪水出水と堆積物がハウジングユニット３０４に進入するのを防止する。
【００８９】
図６ｃは、本発明の一実施形態に係る格納式洪水壁システムの出口ユニットを示す。洪水壁システムを使用して建物を保護するとき、洪水壁システムが建物を完全に包囲する前に、出入り口のアクセスを保守する必要がある。また、洪水壁システムは、水、ガス、電気、および排水などの地下ユーティリティ用ラインへのアクセスを提供するように構成する必要がある。ユーティリティ用ラインは随時上昇および降下される可動洪水壁パネルを通過することができないため、洪水壁システムは複数の固定地下ポスト６５２ａおよび６５２ｂを通じた地下ユーティリティ接続を提供する。これらのポストにより、広範な径のユーティリティ用ラインを通過させることができる。一実施形態では、単独のポストを、ユーティリティ用ラインを通過させるために使用することができる。出口ユニット１０２の洪水壁パネル１２０は、固定ポスト６５２ａと６５２ｂとの間に配置されて地上と地下に延在する。洪水壁パネル１２０は可動であり、上昇したときに、固定ポスト６５２ａおよび６５２ｂを封止する。電力線、ガス線、雨水管などのユーティリティ用ラインは、複数の開口部６５６、６５８、および６６０を介して、ポスト６５２ａおよび６５２ｂの地下部分を通過することができる。一実施形態によると、固定ポスト６５２ａおよび６５２ｂと地上ピラー６５４は地下ポストに脱着されて、洪水壁パネル１２０と隣接パネルとを連接させる。図６ｄは、地下ポスト６５２およびピラー６５４の一実施形態を示す。
【００９０】
図７は、本発明の一実施形態に係る支持フレーム３０６を示す。支持フレーム３０６は、第１のコンパートメント７１２および第２のコンパートメント７１０内にそれぞれ洪水壁パネル１２０および釣合い錘３０８を支持するように構成される。一実施形態では、２つのコンパートメントはそれぞれ、ハウジングユニット３０４と略同じ高さを有する。２つのコンパートメントは並べて配置することができる。支持フレーム３０６は、洪水壁パネル１２０を上昇させるのに必要な力を提供するアクチュエータ７０４をさらに含む。アクチュエータは、必要な力を提供する任意の適切な機構であってもよい。たとえば、アクチュエータは電動モータであってもよい。１例では、アクチュエータ７０４によって生成されるトルクまたは力は、洪水壁パネル１２０および釣合い錘３０８に装着される複数のプーリ７０６および複数のケーブル７０８によって洪水壁パネル１２０および釣合い錘３０８に伝達される。一実施形態では、支持フレーム３０６は、ケージ状構造を形成する複数の鋼製部材７０２から成る。
【００９１】
図７ａは、洪水壁パネルが本発明の一実施形態により完全に展開されたときの洪水壁ユニットの構造を示す。完全展開位置において、洪水壁パネルは最も高い位置まで上昇し、釣合い錘は最も低い位置になる。洪水壁パネルが完全展開位置から格納位置まで退却すると、洪水壁パネル１２０はハウジングユニット内へ降下し、釣合い錘はコンパートメント７１０の上部まで上昇する。図７ａに示すように、ハウジングユニット３０４は、隣接ハウジングユニットの穴と突出部に結合する穴または突出部７１４を２つの端部に有して、嵌合水密接続を形成する。
【００９２】
図８は、本発明の一実施形態に係る洪水壁パネルを示す。洪水壁パネル１２０は、上部８０２、下部８０４、複数のガイド８０３、複数の水平封止部８０５、および上側駆動封止部８０８を有する。図８に示すように、上部８０２は好ましくは中実であり、洪水出水の動水圧、静水圧、および残骸の衝撃力に対抗する十分な機械的一体性を有する。下部８０４は、上部８０２よりも大きな寸法を有し、ハウジングユニット３０４内の空間をできる限り大きくすることによって、浮揚性を持たせるように構成される。下部８０４の内部８０６は好ましくは、重量を低減し浮力を増大させるために中空である。洪水壁パネル１２０は、鋼、コンクリート、ポリマー、複合材料、およびそれらの組み合わせなどの各種材料で作製することができる。下部８０４は上部８０２に加えられる洪水出水からの力を受けないため、下部８０４および上部８０２は異なる材料で作製することができる。たとえば、上部はプレキャストコンクリートで作製し、底部はプラスチックで作製することができる。洪水壁パネルが格納位置にあるとき、上側駆動封止部８０８はハウジングユニット３０４を封止するように構成される。洪水壁パネルが上昇位置にあるとき、複数の水平封止部８０５は、洪水壁パネルとハウジングユニットの上面１１６または内面との間の水密接触を生成するのに使用することができる。ハウジングユニット３０４のガイド６１２と同様、複数のガイド８０３が、ハウジングユニットの内面と接触して、直立方向に上昇するように洪水壁パネルを方向付ける。
【００９３】
図８ａは、洪水壁パネル８００の一実施形態を示す。洪水壁パネル８００は、垂直封止部８１４、上昇ラッチ機構８１６、複数の脚支持部８１２、複数の水平封止部８１８、および複数のガイド８１０を有する。垂直封止部８１４は、２つの隣接洪水壁パネル８００間の間隙を封止するように構成される。垂直封止部８１４は、水が間隙を通過するのを防ぐことができる限り、任意の構造で任意の適切な材料で作製することができる。好適な実施形態によると、垂直封止部および水平封止部は、ポリクロロピレン系ポリマーのネオプレンなどのエラストマーから形成される。一実施形態では、垂直封止部８１４は中空の内部を有する管状である。別の実施形態では、垂直封止部８１４は指状構造を有する。ラッチ機構８１６は、洪水壁パネル８００を上昇させるのに使用することができる外部装置との装着点を提供する。たとえば、洪水壁パネル８００を手動で上昇させるとき、作業者はハンドルをラッチ機構８１６に嵌合させ、ハンドルを使用して洪水壁パネル８００を上昇させることができる。複数の脚支持部８１２は、上昇位置において洪水壁パネル８００を支持するために使用される。脚支持部８１２はばね式であり、パネルを上昇させないとき洪水壁パネル８００内で押圧される。本発明の一側面によると、脚支持部が複数の水平縁部およびハウジングユニットの内面と係合し、ラチェット機構を形成する。洪水壁パネルが所定の高さまで上昇すると、脚支持部８１２が解放されて上面１１６を押圧し、上昇した洪水壁パネルを支持する。脚支持部８１２が上面と係合した状態では、洪水壁パネルはアクチュエータからのトルクまたは力を必要とせずに上昇位置で維持される。洪水壁パネル８００が上昇位置から収納位置まで退却すると、脚部８１２は、ハウジングユニット３０４の側壁に設置された複数のカムまたは傾斜突部によって洪水壁パネル８００に押し戻すことができる。水平封止部８１８は、図８の水平封止部８０５と同様、洪水壁パネル８００の下部とハウジングユニットとの間で水密接触を提供するために使用される。ガイド８１０は、ハウジングユニット３０４の側壁上のガイド６１２に対応する位置に形成される。ガイド８１０およびガイド６１２は協働して、洪水壁パネル８００が直立方向に沿って上昇するように確保する。
【００９４】
図８ｂは、２つの洪水壁パネル８００ａと８００ｂ間の垂直封止部８１４の別の実施形態を示す上面図である。垂直封止部８１４は、洪水壁パネル８００ａに装着される第１の部分８１４ａと、洪水壁パネル８００ｂに装着される第２の部分８１４ｂとの２つの部分を含む。第１の部分８１４ａは略平面状であり、間隙８２２にわたって延びる。第２の部分８１４ｂはＵ字状であり、「Ｕ」字状の２つの脚部の間に第１の部分８１４ｂを挟むことによって水密封止を形成する。
【００９５】
図９は、釣合い錘３０８の一実施形態を示す。釣合い錘３０８は、大きな質量を提供するように設計された本体部９０８を有する。洪水壁パネルを上昇させるための力の量を低減するため、本体部９０８の質量が洪水壁パネルに匹敵する必要がある。１例では、本体部９０８の質量は、洪水壁パネルの重量の約５０％〜１５０％、または好ましくは洪水壁パネルの重量の約８０％〜１２０％、または好ましくは洪水壁パネルの重量の約９０％である。一実施形態では、本体部９０８は、プレキャスト鉄筋コンクリートなどの洪水壁パネルと同じ材料で作製することができる。一実施形態では、本体部９０８は、洪水壁パネルよりも密度が高い材料で作製される。たとえば、本体部９０８は鉛で作製し、洪水壁パネルはプレキャストコンクリートで作製することができる。釣合い錘３０８は、錘３０８を図７ａに示すようなアクチュエータの伝送機構に装着するために使用される装着機構、たとえば複数のバー９０２および９０４と複数のコネクタ９０６ａ、９０６ｂ、９０６ｃ、および９０６ｄとをさらに含む。なお、洪水壁パネルは、アクチュエータの伝送機構への装着のために同様のバーおよびコネクタを有することができる。
【００９６】
図１０は、本発明の一実施形態に係る面ユニット３１０を示す。面ユニット３１０はカバー板１００２、装着部１００４、延在部１００６、および封止部１００８を含む。カバー板１００２は２つの装着部１００４間を延在することによって、洪水壁パネルがハウジングユニット内に退却するとき、ハウジングユニット３０４を覆うように構成される。装着部１００４は、延在部１００６をハウジングユニット３０４に装着するのに使用される。洪水壁パネルの上部がハウジングユニット３０４の２つの側壁間の全体を覆うことができないため、延在部１００６は、洪水壁パネルの上部とハウジングユニット３０４の側壁との間隙を覆う。封止部１００８は、延在部１００６と洪水壁パネル８００との水密接触を形成するのに役立つ。延在部１００６と装着部１００４は同一の材料または異なる材料で作製することができる。一実施形態では、装着部１００４は山形鋼から成り、延在部１００６はアセタールなどのプラスチックまたはゴムから成る。化学名がポリオキシメチレンであるアセタールは、高剛性、低摩擦、および優れた寸法安定性を有する高機能熱可塑性物質である。
【００９７】
図１０ａおよび１０ｂは、本発明の一実施形態に係る面ユニットと洪水壁パネルとの間の封止部を示す。図１０ａに示すように、延在部１００６は、装着部１００４に厳重に嵌合する第１の端部１１１０を有する。延在部１００６は、封止部１００８を保持するように構成される第２の端部１１１２を有する。一実施形態では、封止部１００８は指状構造を有し、第２の端部１１１２は封止部１００８を保持する複数の溝１１１４を備えたＴ字状である。図１０ｂに示すように、洪水壁パネル８００が上昇位置にあるとき、洪水壁パネルの水平封止部１１１６は面ユニット３１０の封止部１００８と接触している。水平封止部１１１６は、封止部１００８を複数の溝１１１８へ誘導するために使用される斜面部１１１２を有する。延在部１００６は水平封止部１１１６にしっかりと押し付けられて、水がハウジングユニットに進入するのを防止する。
【００９８】
図１１は、本発明の一実施形態に係る隣接ハウジングユニット間の装着を示す。隣接ハウジングユニット１２０ａおよび１２０ｂはほとんどの状況で同様のレベルに配置される。しかしながら、それらのユニットは、場所の傾斜などの基礎の状態により様々な高度に置かれ、各自のハウジングユニット上の突出部１１０６および１１０８を相互に偏位させることができる。この２つのハウジングユニット１２０ａと１２０ｂ間の偏位により、上昇位置において隣接洪水壁パネル間に間隙が生じる。この問題に対処するため、ハウジングユニット１２０ａおよび１２０ｂは、端部１１０２ａおよび１１０２ｂと２つの端部ポスト１１０４ａおよび１１０４ｂをさらに含むことができる。２つの端部１１０２ａおよび１１０２ｂは相互に結合して水密接触を形成する。２つの端部ポスト１１０４ａおよび１１０４ｂは  端部の上に設置されて、偏位によって生じる間隙を覆う。洪水壁パネルが上昇すると、洪水壁パネルは端部１１０２およびポスト１１０４と水密接触を形成する。
【００９９】
図１２は、本発明の一実施形態に係る筐体を形成する上昇した洪水壁システム１２００を示す。洪水壁パネル１２０の上昇位置において、支持脚部８１２が解放され、面ユニットと係合して洪水壁パネル１２０を支持する。洪水壁パネルは、隣接洪水壁パネル間の間隙を覆う側方封止部８１４を有する。洪水壁システムの出口部６５０は、入口／出口点として使用され、固定された地下ポスト６５２のユーティリティ開口部を提供する。地上の脱着可能なピラー６５４は隣接洪水壁パネルにしっかりと嵌合する。ハウジングユニット３０４は地下に埋められる。複数のポンプ３１４が所定位置に設置される。受動入口６０８は洪水壁システムの洪水側に配置されて、洪水出水をハウジングユニット３０４に進入させる。
【０１００】
一実施形態では、洪水壁パネルは、作業者によって手動で上昇させられる。別の実施形態では、洪水壁パネルはクレーンによって上昇させられる。別の実施形態では、洪水壁パネルはハウジングユニット内のアクチュエータによって上昇させられる。別の実施形態では、洪水壁パネルは浮力を提供するハウジングユニット内の水によって上昇させられる。水は洪水出水、都市用水、またはその両方であってもよい。別の実施形態では、洪水壁パネルは上記手段の組み合わせによって上昇させられる。
【０１０１】
図１２に示されるような洪水壁システム１２００は、洪水による損傷から建物１２０２または街を保護するために使用することができる。一実施形態では、洪水壁システム１２００は、洪水壁システムと無線通信するコントローラ１２０４によって遠隔制御することができる。洪水壁パネル１２０を上昇させる必要があるとき、オペレータはコントローラ１２０４を使用して洪水壁システム１２００を動作させる。コントローラ１２０４からの指示を受信すると、ローカルプロセッサはハウジングユニット３１８内のアクチュエータを制御して、順次または同時に洪水壁パネルを上昇させる。洪水壁パネルの高さは、アクチュエータの移動、プーリの回転数、またはケーブル／チェーンの移動距離などの複数のデータを通じて感知し判定することができる。一実施形態では、コントローラは専用制御センター、コンピュータ、ラップトップ、またはスマートフォンであってもよい。
【０１０２】
図１２ａは、図１２のピラー６５４の一実施形態を示す。ピラー６５４はピラー６５４の底部にヒンジ６５４２を含む。ピラー６５４２は、設置プロセスを簡易化するためヒンジ６５４２を中心に回転可能である。また、ピラー６５４は、隣接洪水壁パネルと接触して水が保護領域に進入するのを防止する側方封止部をさらに含む。設置プロセスをさらに簡易化するため、水圧アクチュエータまたは電動モータをピラー６５４に接続して、ピラー６５４の移動を促進させることができる。
【０１０３】
図１３は、本発明の一実施形態に係る既存の洪水壁構造に設置された格納式洪水壁システムを示す。本実施形態では、格納式洪水壁システムは、既存の固定洪水壁の背後に装着される堤防拡張部と堤防支持部の両方の役割を果たす。既存の洪水壁構造１３０２は典型的には、固定された高さを有する地上の恒久的構造である。構造１３０２は、水が上記高さに届かないときのみ洪水を止めることができる。ニューオーリンズの洪水防御システムがハリケーンカトリーナで故障したときのように、構造１３０２が長年の使用と過去の洪水事象のせいで一体性が弱まり、故障し易くなることがある。本発明の洪水壁システムは、既存の洪水防御構造を強化し高さを拡張するために使用することができる。
【０１０４】
図１３に示すように、格納式洪水壁システム１３０４は既存の構造１３０２に装着することができる。洪水壁システム１３０４を適切に支持するため、追加の基礎１３０６を既存の基礎１３１０に追加することができる。必要に応じて、基礎１３０６は、地面に打ち込まれた打込み杭１３０８によって支持することもできる。なお、図１３の洪水壁システム１３０４は地上に位置する。
【０１０５】
図１４は、本発明の一実施形態に係る洪水壁システムの展開装置を示す。上述したように、洪水壁システムは、長い海岸線の水塊、たとえば、街を流れる河岸に沿って使用することができる。こうした状況では、洪水壁システムは、数マイルまたは数百マイルの距離を対象とする必要がある。各洪水壁ユニットに電気機械機構が装備されるとき、建設および保全コストが非常に高くなる可能性がある。図１４に示す実施形態では、別個の始動機構の必要性が低減される。本実施形態では、洪水壁システムは、洪水壁パネルを上昇および降下させる自動展開装置をさらに含むことができる。その結果、個々のハウジングユニット内のアクチュエータは任意となる。自動展開装置１４０２は、トラック１４０６に沿って延び内蔵上昇機構を有するトロリーであってもよい。トラック１４０６は、基礎１３０６に位置する面１４０４に設置される。基礎１３０６、面１４０４、およびトラック１４０６は洪水壁システムに沿って構築される。自動展開装置１４０２は、トラックに沿って洪水壁システムの長を移動することができる。列車のように働く自動展開装置１４０２は、作業者を介入させずに洪水壁パネルを１つずつ上昇および降下させることができる。ハウジングユニット内のアクチュエータが必要でない場合、本展開装置および方法は建設コストを低減し、洪水壁システムに関連する保全費用を節約することができる。
【０１０６】
図１４ａは、本発明の一実施形態に係る自動展開装置を示す。自動展開装置は、燃料保管装置１４２０、上昇機構１４２２、アクチュエータ１４２８、およびコントローラ１４２４を含む。燃料保管装置１４２０は燃料タンク、バッテリ、またはその他の適切な供給源であってもよい。燃料保管装置１４２０はアクチュエータ１４２８に燃料を供給し、該アクチュエータはエンジンまたは電動モータであってもよい。もしくは、電力は電化レールを介して展開装置に供給することができる。上昇機構１４２２は、アクチュエータ１４２８に接続されて、洪水壁パネルを上昇および降下させる。コントローラ１４２４は、上昇機構１４２２およびアクチュエータ１４２８の動作を制御するプロセッサを含むことができる。コントローラは、燃料保管装置１４２０内の燃料の量、アクチュエータ１４２８の状態、上昇機構の移動、および洪水壁パネルの高さなどの各種動作データを取得する複数のセンサをさらに含むことができる。一実施形態では、ＧＰＳ（全地球測位システム）センサを使用して、トロリーおよびパネルの位置を判定することができる。コントローラ１４２４は、遠隔制御センター１２０４に情報を送信して、遠隔制御センター１２０４から指示を受信する通信インタフェースをさらに含むことができる。上昇機構１４２２は、洪水壁パネルのラッチ機構８１６に結合するアーム１４２６を含む。アーム１４２６がラッチ機構８１６に確実に装着された後、洪水壁パネルを安全に上昇または降下させることができる。
【０１０７】
図１４ｂは、本発明の一実施形態に係るアーム１４２６およびラッチ機構８１６を示す。アーム１４２６は、突出部１４３０と斜面端部１４３４とを有する管状部材１４３２を含む。管状部材１４３２および突出部１４３０は洪水壁パネルのラッチ機構８１６のソケット１４３６と結合する。管状部材１４３２および突出部１４３０がソケット１４３６に収容されると、アーム１４２６が管状部材１４３２および突出部１４３０を収容位置１４３８から係止位置１４４０まで回転させることによって、アーム１４２６とラッチ機構８１６とを確実に装着させる。
【０１０８】
本発明の一実施形態によると、洪水壁システムは、地下に格納されて、保護領域のアクセスと視野を遮らない洪水壁パネルを含む。該システムは水密筐体を生成するように展開することができる。また、システムは、個別に上昇される部分ごとに形成されるように設計することができる。一実施形態によると、パネルの長さは７〜３０フィートである。好適な実施形態によると、パネルの長さは１０〜１５フィートである。最も好適な実施形態によると、パネルの長さは約１０フィートである。各部分の高さは１〜３０フィートとすることができる。釣り合い錘を設けることによって、各部分は比較的小型の電動モータを用いて迅速に上昇させることができる。一実施形態によると、パネルは２馬力モータによって３０秒内で上昇させることができる。電動モータの代わりにまたは電動モータに加えて、都市用水または洪水出水のいずれかによって提供される浮力を利用し、ハウジングユニットに注水することで壁パネルを上昇させることができる。洪水壁パネルは中空チャンバを有するように構成されるため、電動モータの助けを借りてまたは借りずに浮力によってパネルを上昇させることができる。
【０１０９】
図１５は、本発明の一実施形態に係る格納式洪水壁ユニット１５００を示す。完全に上昇させられる格納式洪水壁ユニット１５００は、基礎ユニット１５０２、洪水壁パネル１５０４、および配管システム１５０６を含む。基礎ユニット１５０２は、蓋１５１０で覆われる筐体１５０８を含む。筐体１５０８は、洪水壁ユニットの電力システム（図１５には示さず）を収容するハウジングユニットを形成する。電力システムは洪水壁パネル１５０４を上昇および降下させる。配管ユニット１５０６は、基礎ユニット１５０２から水を除去するために使用される。基礎ユニット１５０２は、基礎ユニットの側壁に装着されて、洪水壁パネル１５０４を直立位置に誘導するために使用される複数のガイドトラック１５２０をさらに有する。基礎ユニットは、基礎ユニットの上面と面一である複数の封止部１５１６も有する。洪水壁パネルが上昇位置にあるとき、複数の封止部１５１６は洪水壁パネルの水平封止部１５１８と密に接触するため、水が基礎ユニットに入るのを防止する。また、洪水壁パネルが格納位置にある（基礎ユニット内に完全に後退している）とき、複数の封止部１５１６は、洪水壁パネルの上側駆動部の下に配置された上側封止部１５１２に密に接触するため、水が基礎ユニットに入るのを防止する。図１５に示すように、洪水壁パネル１５０４は、封止部１５１６に位置して上昇位置の洪水壁パネル１５０４を支持する複数の支持脚部１５１４を有する。
【０１１０】
図１６は、本発明の一実施形態に係る基礎ユニット１５０２を示す。基礎ユニット１５０２は、３つの部分：ハウジングユニット１６０４と、次にそれを支持するベース１６０２と、地面で該ベース１６０２を支持する打込み杭などの複数のアンカー１６０６とを有する。ベースおよびハウジングユニットは長期基礎のため、設置前に予め作成し現場で組み立てる、あるいは現場で一時的形状のコンクリートを注入することができる。一実施形態では、ベースとハウジングユニットはステンレス鋼またはプレキャストコンクリートで作製することができる。図１６ａはハウジングユニット１６０４を示す。図１６ｂはベースユニット１６０２を示す。ハウジングユニット１６０４は、たとえばナットとボルトまたはエポキシなど、任意の適切な方法でベースユニット１６０２に接続することができる。一実施形態では、ベース１６０２は、ハウジングユニット１６０４の底部に結合して、ハウジングユニット１６０４をベース１６０２に固定する予成形穴１６０８を有する。図１６ｃは複数のアンカー１６０６を示す。図１６ｄは、ベース１６０２を複数のシートパイル１６０８によって支持することができる基礎の別の実施形態を示す。
【０１１１】
図１７は、本発明の一実施形態に係る洪水壁パネル１５０４を示す。洪水壁パネル１５０４は、水、上側封止部１５１２、複数の垂直封止部１７０４、および複数の水平封止部１５１８を止めるように構成される不透水ユニット１７０２を有する。また、洪水壁パネル１５０４は、ハウジングユニット１７１０に設置された複数の支持脚部１５１４を含む。支持脚部１５１４はばね式であり、洪水壁パネルが格納位置にあるとき、ラッチ機構１７０８によってハウジングユニット１７１０に係止される。洪水壁パネルが上昇すると、ラッチ機構１７０８は基礎ユニット上の突出部によってトリガされ、ばね式支持脚部をハウジングユニット１７１０から解放させることができる。洪水壁パネルは、ガイドトラック１５２０と結合して洪水壁パネルを直立位置に保持する複数のガイド１７０６も有する。一実施形態では、複数のガイド１７０６はガイドローラであってもよい。別の実施形態では、洪水壁パネルは、始動機構を洪水壁パネルに固定するように構成された複数の切欠き１７１２をさらに含む。一実施形態では、水平封止部１５１８は、不透水ユニット１７０２に予め成形された支持ベースにガスケットによって装着される。一実施形態では、洪水壁ユニットの垂直封止部、水平封止部、およびその他の封止部はすべて、製造および設置プロセスを簡易化するように平面状である。他のより複雑な形状の封止部を本洪水壁ユニットと共に使用することもできるが、製造および設置プロセスは複雑化する。
【０１１２】
図１８は、本願の一実施形態に係る洪水壁パネルの不透水ユニット１７０２を示す。不透水ユニット１７０２は、鋼、コンクリート、および成形プラスチックなどの任意の適切な材料で作製することができる。好適な実施形態では、不透水ユニット１７０２はプレキャストコンクリートから成る。ユニット１７０２の重量を低減するため、乾燥側でユニットに複数の空隙１８０８を形成することができる。また、ユニット１７０２は、ラッチ機構１７０８を受け入れる穴１８１０、ハウジングユニット１７１０を受け入れる凹部１８１２、および固定具を受け入れる複数の鋼製インサート１８０２、１８０４、および１８０６を有する。
【０１１３】
図１９は、本発明の一実施形態に係る洪水壁パネルの機械的コンポーネントを示す。洪水壁パネルは、複数のガイドローラ１７０６と、ハウジングユニット１７１０内の複数のばね１９０８を介して軸１９０６上にばね装填される複数の支持脚部１５１４と、洪水壁の両側の全長に成形される水平突出部の上に位置する複数の水平封止部１５１８とを有する。水平封止部は複数の鋼板１９１２を介して洪水壁パネルに装着され、該鋼板は基礎上の地下に搭載される水平封止部用の円滑接触面として作用する。支持脚部は、複数のラッチバー１９１２によって解放することができる複数のラッチロック１９１０によってハウジングユニット１７１０に係止される。洪水壁パネルは、鋼製インサート１８０４内に配置された複数のポストテンションロッド１９０４をさらに含む。
【０１１４】
図２０は、本発明の一実施形態に係る機械部品を設置した洪水壁パネルを示す。洪水壁パネル２０００は、切欠き１７１２に固定される上昇機構２００２をさらに含む。一実施形態によると、上昇機構は上昇滑車を含む。
【０１１５】
図２１は、本発明の一実施形態に係る洪水壁ユニットの上昇システムを示す。上昇システム２１００はフレーム２１０２、プーリシステム２１０４、および蓋１５１０を含む。フレーム２１０２は、基礎ユニットの筐体１５０８内の上昇システム２１０４の二重ワイヤロープドラム２１１６などの機械的コンポーネントを固定するために、好ましくは鋼製である。上昇システム２１０４は、複数の引張ケーブル２１１２を介して、滑車２００２と複数の末端部２１０８および２１１０に接続される二重ワイヤドラムなどの回転ユニット２１１６を含む。末端部２１０８および２１１０は基礎ユニットの側壁に装着され、滑車２００２は洪水壁パネルの底部の切欠きに装着される。回転ユニット２１１６が始動されると、滑車２００２が上昇または降下することによって、洪水壁パネルを上昇または降下させる。回転ユニット２１１６は、外部電力システム（図示せず）と係合して回転ユニット２１１６を駆動するように構成された係合手段２１１４と接続される。蓋１５１０は、係合手段の位置に対応する穿孔を有して、外部電力システムを係合手段２１１４に係合させる。
【０１１６】
図２１ａは、本発明の一実施形態に係る洪水壁ユニットを動作させるウィンチシステムを示す。図２１ａに示すように、回転ユニット２１１６は、フレーム２１０２に装着されるウィンチ２１２０と接続されている。このように、外部電力システムは洪水壁ユニットを動作させる必要はない。一実施形態では、図２１ａのプーリシステム２１０４は、ウィンチが故障したときでも洪水壁ユニットが動作可能であるように、ウィンチ２１２０に加えて係合ユニット２１１４を設けることができる。一実施形態では、ウィンチが洪水壁パネルを上昇または降下させるのに必要な電力量を低減させるため、プーリシステム２１０４はシングルパーチェスウィンチシステムである。
【０１１７】
図２２は、本発明の一実施形態に係る電力システムを設置した基礎ユニット２２００を示す。ウィンチシステム２１０４のアクチュエータは、洪水壁ユニットの乾燥側で筐体１５０８に設置される。末端部２１０８は基礎ユニットの側壁に固定される。図２２に示すように、スパージャパイプは基礎ユニットの底部に配置されて、堆積した水を除去する。
【０１１８】
図２３ａは、本発明の一実施形態に係る格納位置における洪水壁パネルを示す。格納位置では、支持脚部１５１４はラッチ機構によってハウジングユニットに係止される。図２３ａに示すように、基礎ユニットは、ラッチバーが上方に移動して支持脚部１５１４を解放させるのを防ぐ上側トリガ接触部２３０４を含む。基礎ユニットは、ラッチバーが下方に移動して、ラッチバーを係止位置に押し込んで支持脚部１５１４をハウジングユニットに係止するのを防ぐ下側トリガ２３０２をさらに含む。図２３ｂは、本発明の一実施形態に係る上昇した洪水壁ユニットを示す。いったんラッチバーが上側接触部２３０４によってトリガされると、支持脚部に装着されたばねがハウジングユニットから展開位置へ支持脚部を押し出して、洪水壁パネルを支持する。洪水壁パネルを格納位置へ降下させるため、支持脚部１５１４は手動でハウジングユニットに押し込まれ、トリガによって一時的に係止される。ラッチバーが洪水壁パネルと共に基礎まで降下されて下側トリガ２３０２と接触すると、ラッチバーはハウジングユニットに押し戻されて、一時的トリガを長期係止機構と置き換える。
【０１１９】
図２４は、本発明の一実施形態に係る配管システムを備えた洪水壁ユニットを示す。配管システム２４０２は、基礎ユニットから水または堆積物を除去するのに使用される。配管システム２４０２は、洪水壁ユニットの乾燥側にポンプユニット、基礎ユニットに複数のパイプ、および洪水壁ユニットの湿潤側に出口を含む。一実施形態では、配管システムは、基礎ユニットの底部の堆積物を除去するように構成される。洪水出水が基礎ユニットに進入すると、沈殿物または泥がシステムに持ち込まれ、基礎ユニットの底部に堆積することで、洪水壁パネルが格納位置まで完全に降下するのが阻まれる可能性がある。配管システム２４０２は、水道用水またはその他の清浄な水源に接続され、基礎ユニットに水を送り、底部の沈殿物または堆積物を活性化し、水中に戻し、水と沈殿物／堆積物の混合物を基礎ユニットの外へ押し出すことができる。本発明の別の実施形態では、配管システム２４０２は、洪水壁ユニットの乾燥側に入口２４０４をさらに含む。洪水壁ユニットの乾燥側は、雨または湿潤側からの洪水出水の漏れにより過剰な水を有する可能性がある。よって、洪水壁ユニットの乾燥側から水を除去する必要がある。入口２４０４により、洪水壁ユニットの乾燥側の水を配管システム２４０２に引き込んで、湿潤側に押し出すことができる。
【０１２０】
図２５は、本発明の一実施形態に係る配管システム２４０２の構造を示す。配管システム２４０２は、ポンプユニット２５０２、複数の入口パイプ２５０４、複数の出口パイプ２５０８、湿潤側出口２５０６、および乾燥側出口２４０４を有する。運転時、ポンプユニット２５０２は、入口パイプから出口パイプまで水を循環させ、最終的に出口２５０６を通じて洪水壁ユニットの湿潤側まで水を押し出す。一実施形態では、出口２５０６は、配管システム２４０２に再進入するのを防ぐ単方向逆止弁を含む。配管システム２４０２は、基礎ユニット内の水と乾燥側の水の両方を洪水壁ユニットの湿潤側に移送することができる。
【０１２１】
図２６は、本発明の一実施形態に係る複数の格納式洪水壁ユニットによって形成された入口ユニットを示す。入口ユニット２６００は、複数の洪水壁ユニット２６０６および２６０８と複数の端部柱２６０２を含む。洪水壁ユニット２６０６および２６０８は格納式壁パネルを有する。端部柱２６０２および２６０４は、他の既存の構造の洪水壁ユニット２６０６および２６０８から移行した静止構造を有する。端部柱２６０２または２６０４は、洪水壁ユニットの垂直封止部との水密接触を形成するように構成された突出部２６１０を有する。図２６ａは、洪水壁ユニット２６０６および２６０８が格納位置にあるとき、歩行者と車両が通過することができる入口ユニットを示す。
【０１２２】
図２７は、本発明の一実施形態に係る洪水壁ユニット用の水圧システムを示す。水圧システム２７００は、ハウジングユニット１５０８内のコントローラ、ポンプユニット、および流体容器（図示せず）と、基礎ユニットの底部に位置する複数の流体ライン２７０２および制御弁２７０６と、垂直位置の複数の水圧シリンダ２７０４と、を含む。ポンプユニットが作動されると、水圧シリンダ２７０４内のアーム２７０８が上昇または降下されて、洪水壁パネルを上昇または降下するのに使用される。好適な実施形態では、各洪水壁ユニットは独立した専用水圧システムを有する。別の実施形態では、複数の洪水壁ユニットは１つの水圧システムを共有することができる。
【０１２３】
図２７ａは、水圧システムの別の実施形態を示す。本実施形態によると、コントローラ、ポンプ、流体容器、および制御弁２７０６は、この群からアクセス可能なハウジングユニット１５０８内に配置されて、これらのコンポーネントの動作を簡易化する。また、水圧シリンダのアーム２７０８は、複数の機械式キャップ２７１０を介して洪水壁パネルと係合する。たとえば、機械式キャップは、洪水壁パネルの鋼製インサートにねじ込まれる複数のボルトであってもよい。アーム２７０８は、洪水壁パネルを上昇および降下させるキャップと係合する。一実施形態では、機械式キャップ２７１０は、鋼製インサートから取り外して、アーム２７０８を洪水壁パネルから分離するように構成される。このように、洪水壁パネルは基礎ユニットから自由に取り外すことができる。
【０１２４】
図２８は、本発明の一実施形態に係る水圧システムと洪水壁ユニットとの間の配置を示す。水圧シリンダ２７０４のアーム２７０８は洪水壁パネル１５０４に装着される。洪水壁パネル１５０４は、水圧シリンダの高さに相当する深さの複数の空隙を設けることによって、水圧シリンダを空隙内に隠すことができ、洪水壁パネルのサイズを大幅に増大させないことが好ましい。図２７ｂに示すように、流体ライン２７０２およびスパージャパイプ２５０４はいずれも基礎ユニットの底部に位置する。
【０１２５】
図２９は、本発明の一実施形態に係る海水保護手段が設けられた洪水壁ユニットを示す。洪水壁ユニットが海岸線に沿って搭載されるとき、海水によって生じる衝撃や腐食から保護される必要がある。本発明の実施形態は、洪水壁ユニットの湿潤側に保護層を装着して、海水の衝撃を低減することを含む。保護層２９０２は上昇させた後、洪水壁パネル２９０４の湿潤側に装着することができる。別の実施形態では、洪水壁パネルはＰＲＯＴＥＣＴＡＳＩＬＡＮＥ１００（オクチルトリエトキシシラン系ポリマー）などの撥水含浸剤で処理される。撥水含浸剤を使用して、水が洪水壁パネルに浸透するのを防止することによって腐食プロセスが減速される。
【０１２６】
図３０は、本願の一実施形態に係る保護層２９０２を示す。保護層２９０２は、耐衝撃層３００２と装着層３００４とを含む複数層を有することができる。ゴム層などの耐衝撃層３００２は海水に面して、衝撃を吸収する。装着層３００４は、洪水壁パネルに予防層を固定する複数の装着機構を有する。一実施形態では、装着層は、装着のために洪水壁パネル上のインサートと結合する複数の開口部を有する。
【０１２７】
図３１ａは、本発明の一実施形態に係る洪水壁システムの端部ユニットを示す。本発明に係る洪水壁システムは独立した構造であってもよいし、既存の建物または構造に装着される構造であってもよい。図３１ａに示すような端部ユニット３１０２は、洪水壁システムを既存の構造に装着させるように構成される。端部ユニット３１０２は、既存の構造との水密接触を形成する弾性表面を備えた装着側３１０４を有する。端部ユニット３１０２の他方の側３１０６は洪水壁ユニットと結合して、別の水密接触を形成するように構成される。
【０１２８】
図３１ｂは、本発明の一実施形態に係る洪水壁システムのコーナーユニットを示す。コーナーユニット３１０８（パネルは図示しない）は略Ｌ字状であるため、洪水壁ユニットは外周内の人または物の保護のための水密外周を確立する。
【０１２９】
図３２は、本発明の一実施形態に係る洪水シェルタを示す。大規模な洪水が発生するとき、洪水シェルタ３２００は人命を救うのに必要な場合がある。洪水シェルタ３２００は、既存の構造から独立して無洪水区域を確立することのできる構造または外周として理解することができる。洪水シェルタ３２００は好ましくは、領地の幹線道路周囲の建物などのアクセスし易い場所であり、洪水が発生した場合に人々が迅速にシェルタに到達することができる。また、洪水シェルタ３２００は、洪水が治まるまで人々が何日または何週間もシェルタ内に滞在できるように、水、電気、ガス、下水管などのユーティリティサービスを供給することが好ましい。本発明は、直線洪水壁ユニット３２０６、入口ユニット３２０２、およびコーナーユニット３２０４を使用することによって水密外周を確立するというニーズを満たすことができる。入口ユニット３２０２は、アクセスし易いように道路３２０８を横切って構築することができる。上述したように、外周によりユーティリティを洪水シェルタに提供することができる。さらに、動作させるのにウィンチシステムが使用されるため、上記の洪水シェルタの信頼性を簡易かつ経済的に試験することができる。
【０１３０】
本発明の一実施形態によると、コントローラは、有線または無線通信システムを介して洪水壁システムを制御するために使用される。コントローラは制御パネル、コンピュータ、ラップトップ、またはスマートフォンであってもよい。洪水壁パネルはすべて一緒に上昇させて迅速にシステムを展開する、あるいは１つずつ上昇させてパネルを上昇させるのに必要な電力を低減することができる。コントローラは、洪水壁システムの高さと、弁、排水ポンプ、および注水ポンプの動作とを制御するように構成することができる。洪水壁システムが手動モードで動作するとき、コントローラは壁位置と弁位置を監視するように構成することができる。
【０１３１】
本発明は本明細書の教示の恩恵を受ける当業者にとって自明である、異なるが等価な様式で変更および実施することができるため、上に開示された特定の実施形態は単に例示である。さらに、下記請求項に記載される以外に、図示される構造または設計の細部に限定することを目的としていない。したがって、上で開示した特定の実施形態は変形または変更することができることは明らかであり、すべての変形は発明の範囲および精神に属すると考えられる。本発明の例示の実施形態を添付図面を参照して詳細に説明したが、本発明はそれらの厳密な実施形態に限定されず、各種変化や変更は添付の請求項で定義される発明の範囲および精神を逸脱せずに当業者によって実行できると理解することができる。
【図１ａ】
2019522747.tif 000003
【図１ｂ】
2019522747.tif 000004
【図２ａ】
2019522747.tif 000005
【図２ｂ】
2019522747.tif 000006
【図３】
2019522747.tif 000007
【図４】
2019522747.tif 000008
【図５】
2019522747.tif 000009
【図６】
2019522747.tif 000010
【図６ａ】
2019522747.tif 000011
【図６ｂ】
2019522747.tif 000012
【図６ｃ】
2019522747.tif 000013
【図６ｄ】
2019522747.tif 000014
【図７】
2019522747.tif 000015
【図７ａ】
2019522747.tif 000016
【図８】
2019522747.tif 000017
【図８ａ】
2019522747.tif 000018
【図８ｂ】
2019522747.tif 000019
【図９】
2019522747.tif 000020
【図１０】
2019522747.tif 000021
【図１０ａ】
2019522747.tif 000022
【図１０ｂ】
2019522747.tif 000023
【図１１】
2019522747.tif 000024
【図１２】
2019522747.tif 000025
【図１２ａ】
2019522747.tif 000026
【図１３】
2019522747.tif 000027
【図１４】
2019522747.tif 000028
【図１４ａ】
2019522747.tif 000029
【図１４ｂ】
2019522747.tif 000030
【図１５】
2019522747.tif 000031
【図１６】
2019522747.tif 000032
【図１６ａ】
2019522747.tif 000033
【図１６ｂ】
2019522747.tif 000034
【図１６ｃ】
2019522747.tif 000035
【図１６ｄ】
2019522747.tif 000036
【図１７】
2019522747.tif 000037
【図１８】
2019522747.tif 000038
【図１９】
2019522747.tif 000039
【図２０】
2019522747.tif 000040
【図２１】
2019522747.tif 000041
【図２１ａ】
2019522747.tif 000042
【図２２】
2019522747.tif 000043
【図２３ａ】
2019522747.tif 000044
【図２３ｂ】
2019522747.tif 000045
【図２４】
2019522747.tif 000046
【図２５】
2019522747.tif 000047
【図２６】
2019522747.tif 000048
【図２６ａ】
2019522747.tif 000049
【図２７】
2019522747.tif 000050
【図２７ａ】
2019522747.tif 000051
【図２８】
2019522747.tif 000052
【図２９】
2019522747.tif 000053
【図３０】
2019522747.tif 000054
【図３１ａ】
2019522747.tif 000055
【図３１ｂ】
2019522747.tif 000056
【図３２】
2019522747.tif 000057
【国際調査報告】
2019522747.tif 000058
2019522747.tif 000059
2019522747.tif 000060
2019522747.tif 000061